(57)【要約】【課題】土壌中の含水比を簡便に測定できるようにする。【解決手段】ショ糖水溶液の糖度と含水比との関係の検量線を作成しておき、採取した土壌の重量を測定した後、該測定した土壌を、糖度が予め定められた所定量のショ糖水溶液中に入れ、撹拌後、濾過して得たショ糖水溶液の糖度を測定し、該測定した糖度を前記検量線に照らし合わせて土壌中の含水比を演算するようにした。【選択図】図２
2015219013.tif 000002
【特許請求の範囲】
【請求項１】
土壌中に含有する含水比の測定方法であって、採取した土壌の重量を測定した後、該測定した土壌を、糖度が予め定められた所定量のショ糖水溶液中に入れ、撹拌後、濾過して得たショ糖水溶液の糖度を測定し、該測定した糖度に基づいて土壌中の含水比を演算するようにしたことを特徴とする土壌中の含水比の測定方法。
【請求項２】
土壌中に含有する含水比の測定方法であって、採取した土壌の重量を測定した後、該測定した土壌を、糖度が予め定められた所定量のショ糖水溶液中に入れ、撹拌して得たショ糖水溶液の糖度を測定し、該測定した糖度に基づいて土壌中の含水比を演算するようにしたことを特徴とする土壌中の含水比の測定方法。
【発明の詳細な説明】
【技術分野】
【０００１】
本発明は、土壌中に含まれる含水比の測定方法の技術分野に関するものである。
【背景技術】
【０００２】
一般に、土壌に含まれる含水比（含水比）を知ることは、植生の生育に対する影響、地下水の挙動、盛り土などを含めた斜面崩壊のメカニズムの解析、洪水発生予測等の研究をするにあたり重要な要素の一つであり、そのため日本工業規格としてＪＩＳ  Ａ  １２０３で「土の含水比試験方法」が規格されている。このものは、土壌の含水比を、採取した土壌の重量とこれを炉内で乾燥した後の重量とをそれぞれ測定することに基づいて求めるようにしている所謂炉乾燥法である。ところが土壌の乾燥には、１１０±５℃に保持した恒温乾燥炉内にて１８〜２４時間もの長時間の乾燥が必要であって作業性が悪いだけでなく、恒温乾燥炉が土壌の採取現場にあることはまずなく、採取した土壌を高温乾燥炉を備えた実験室等に持ち帰って乾燥させなければならず、また実験室まで採取時の含水比を維持したまま持ち込まなければならず、このための特別な技術と操作も必要となり、手間がかかるという問題がある。
これに対し、土壌水分の測定方法として、テンシオメータ法（特許文献１参照）、誘電法（特許文献２参照）、電気抵抗法（特許文献３参照）、熱伝導法（特許文献４参照）、電磁波法（特許文献５参照）等の多くの手法が知られているが、前記実験室まで採取時の含水比を維持したまま持ち込まなければならない点は依然として解決されていない。
【先行技術文献】
【特許文献】
【０００３】
【特許文献１】特開平７−２４４０４０号公報
【特許文献２】特許第２９１３０２２号公報
【特許文献３】特開２００４−７７３５３号公報
【特許文献４】特開２００６−１９４８２１号公報
【特許文献５】特開２００９−９８０１８号公報
【発明の概要】
【発明が解決しようとする課題】
【０００４】
しかしながら前記従来のもののうち、特許文献１、２、５のものは装置自体が大型であるうえ、土壌に埋設しなければならず、作業性が劣る、という問題がある。これに対し特許文献３、４のものはセンサ自体を小型にできる、という利点があるが、予め採取した土壌を乾燥させて該乾燥土壌における電気抵抗値や熱伝導率を測定し、さらに該乾燥土壌に所要量の水分を含浸させたものの幾つかについて電気抵抗値や熱伝導率を測定して検量線を調製する必要があるが、土質が異なった場合に同じ検量線を採用できるとは限らず、そのため土質が異なる測定現場ごとにこれらの検量線をいちいち調製しなければならないこともあって面倒かつ煩雑であるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、土壌中に含有する含水比の測定方法であって、採取した土壌の重量を測定した後、該測定した土壌を、糖度が予め定められた所定量のショ糖水溶液中に入れ、撹拌後、濾過して得たショ糖水溶液の糖度を測定し、該測定した糖度に基づいて土壌中の含水比を演算するようにしたことを特徴とする土壌中の含水比の測定方法である。
請求項２の発明は、土壌中に含有する含水比の測定方法であって、採取した土壌の重量を測定した後、該測定した土壌を、糖度が予め定められた所定量のショ糖水溶液中に入れ、撹拌して得たショ糖水溶液の糖度を測定し、該測定した糖度に基づいて土壌中の含水比を演算するようにしたことを特徴とする土壌中の含水比の測定方法である。
【発明の効果】
【０００６】
請求項１または２の発明とすることにより、土壌中の含水比を、土壌採取現場においても簡単に求めることができる。
【図面の簡単な説明】
【０００７】
【図１】土壌中の含水比測定方法のフローチャート図である。
【図２】糖度と土壌含水比の検量線を示すグラフ図である。
【発明を実施するための形態】
【０００８】
以下、本発明の実施の形態について説明する。
本発明は、水溶性が高い糖類の水溶液の糖度（Ｂｒｉｘ）が、糖類濃度によって変化することを利用して土壌に含有する含水比を測定しようとするものであり、特にショ糖（シュークロース：ｓｕｃｒｏｓｅ）の水に対する溶解度が２１１．５ｇ／１００ｍＬ（２０℃）もあって溶解しやすいものであるため、ショ糖水溶液を予め調製したものを測定現場に持参してもよいが、ショ糖と水とを各別に測定現場に持参し、測定現場での土壌の湿潤状態をみてショ糖水溶液の濃度を決定し、水にショ糖を溶解させてショ糖水溶液を調製してもよく、このようにすることで、測定するのに適正な濃度のショ糖水溶液を調製することができる。
そのうえショ糖は、甘味料の一つであって無害であるため、測定後、ショ糖水溶液を測定現場に廃棄しても環境上問題になることがない。
【０００９】
図１に土壌に含有する水量（％）を測定する手順をフロー図で示すが、まず採取した土壌試料の重量（Ｘｇ）を測定する。この土壌試料をＹ％の濃度（ショ糖量Ｙｇ／水１００ｇ）のＺｍＬのショ糖水溶液中に入れ、よく撹拌する。次いで濾過して試料溶液とすることになるが、濾紙としては水が浸潤しない材料で製造したものが好ましく、例えばガラス製やシリコーン、ポリテトラフルオロエチレンのような合成樹脂製等のものが採用される。
このように濾過された試料溶液について糖度を測定する。糖度の測定は、市販の糖度測定器を用いて行うことができる。この場合に、携帯型であれば現場に簡単に持参でき、都合がよい。
具体的には５０ｍＬのプラスチック製試験管またはバッグに土壌試料１５ｇを入れ、このものに、例えば水１００ｇにショ糖の５０ｇを溶解して得たショ糖水溶液（濃度（Ｂｒｉｘ）５０％のショ糖水溶液）を１５ｍＬ入れてよく振盪（例えば２分間）し、この溶液を濾過後、該濾液のショ糖水溶液の糖度を観測をし、観測されたショ糖の糖度から土壌中の含水比（（含水比ｇ／乾燥土壌量ｇ）×１００％）を求める。
尚、土壌試料に含まれる粘土分が少ない場合など、ショ糖水溶液と振盪後に得られた溶液の濁度が低い場合には濾過を省略することができ、たいていの土壌試料においては濾過を省略して差し支えない。
【００１０】
土壌中の含水比を求める場合、ある濃度に調製したショ糖水溶液について含水比が０％から例えば１１０％まで変化させたときの糖度の変化曲線を求めてこれを検量線として図２に示すようにグラフ化させておけば、土壌中の含水比は、例えば５０％のショ糖水溶液を調製したものを用いて含水比を測定する場合に、前記作業をしたときの糖度が４０％であった場合、図２の検量線から土壌中の含水比は６０％であることが判る。
因みに、図２の糖度の検量線は、ショ糖水溶液の濃度が上から順に６０％、５０％、４０％、３０％、２０％、１０％のものである。
尚、土壌試料の量（グラム数）とショ糖水溶液の量（ミリリットル数）の比は、１：１であれば、他のグラム数やミリリットル数であってもよく、検量線を別に調製するのであれば、他の比であっても勿論よい。
【００１１】
このように本発明が実施されたものにおいては、採取した土壌の重量を測定した後、該測定した土壌を、糖度が予め定められた所定量のショ糖水溶液中に入れ、撹拌後、濾過して得たショ糖水溶液の糖度を測定し、該測定した糖度に基づいて土壌中の含水比を求めるようにしたものであるから、土壌の採取現場においても土壌中の含水比を短時間のうちに簡単に求めることができ、従来のような面倒な作業が不要になる。
尚、この場合に、濾過操作は場合によっては省略することができるのは前述のとおりである。
しかもショ糖は、甘味料であって無害であるため、測定後、採取現場に廃棄しても公害等の問題が発生することがなく、グリセリンのように、消防法の適用を受けることもなく、管理が容易である。
【産業上の利用可能性】
【００１２】
本発明は、土壌中の含水比の測定方法の技術分野に利用することができる。
【図１】
2015219013.tif 000003
【図２】
2015219013.tif 000004